(57)【特許請求の範囲】
【請求項１】
急速充電方法であって、
前記方法は電源アダプターに応用され、前記電源アダプターとモバイル端末とはユニバーサル・シリアル・バスのＵＳＢインタフェースを通じて接続され、
前記ＵＳＢインタフェースの中の電源線は前記電源アダプターが前記モバイル端末に充電することに用いられ、
前記ＵＳＢインタフェースの中のデータケーブルは前記電源アダプターと前記モバイル端末との二方向の通信に用いられ、
前記電源アダプターは普通充電モードと急速充電モードに対応するよう構成され、前記急速充電モードの充電電流は前記普通充電モードの充電電流より大きく、
前記方法は、
前記急速充電モードによる充電過程で、前記モバイル端末と二方向の通信を行うことにより、前記電源アダプターの充電電流を絶え間なく調整し、
前記電源アダプターが前記ＵＳＢインタフェースの中のデータケーブルを通じて、前記モバイル端末と二方向の通信を行うことにより、前記急速充電モードで前記モバイル端末に充電することを決定するステップと、
前記電源アダプターが充電電流を前記急速充電モードに対応する充電電流に調整し、前記モバイル端末に充電するステップと、
前記電源アダプターが、前記モバイル端末から前記モバイル端末の通路インピーダンスを示す情報を受信するステップと、
前記電源アダプターが、前記ＵＳＢインタフェースの中のデータケーブルを通じて前記モバイル端末との二方向の通信を行うことにより、前記ＵＳＢインタフェースが接触不良であるか否かを決定するステップと、
前記ＵＳＢインタフェースが接触不良であると決定した場合、前記電源アダプターが前記急速充電モードから離脱するステップと、を含み、
前記電源アダプターが、前記ＵＳＢインタフェースの中のデータケーブルを通じて前記モバイル端末との二方向の通信を行うことにより、前記ＵＳＢインタフェースが接触不良であるか否かを決定するステップは、
前記電源アダプターが、前記モバイル端末に第四コマンドを送信し、前記第四コマンドが、前記モバイル端末内の電池の電圧を問うのに用いられるステップと、
前記電源アダプターが前記モバイル端末が送信した前記第四コマンドの返信コマンドを受信し、前記第四コマンドの返信コマンドが、前記モバイル端末内の電池の現在の電圧を示すステップと、
前記電源アダプターが、前記電源アダプターの充電電圧と前記電池の電圧に基づいて、前記電源アダプターから前記電池までの通路インピーダンスを決定するステップと、
前記電源アダプターが、前記電源アダプターから前記電池までの通路インピーダンスと、前記モバイル端末の通路インピーダンスと、及び前記電源アダプターと前記モバイル端末との間の充電回路の通路インピーダンスと、に基づいて、ＵＳＢインタフェースが接触不良であるか否かを決定するステップと、を含む急速充電方法。
【請求項２】
前記方法は、
前記電源アダプターが前記ＵＳＢインタフェースの中のデータケーブルを通じて、前記モバイル端末と二方向の通信を行うことにより、前記急速充電モードに対応する充電電圧を決定するステップと、
前記電源アダプターが充電電圧を前記急速充電モードに対応する充電電圧に調整するステップと、をさらに含む請求項１に記載の方法。
【請求項３】
急速充電方法であって、
前記方法はモバイル端末に応用され、前記モバイル端末と電源アダプターとはユニバーサル・シリアル・バスのＵＳＢインタフェースを通じて接続され、
前記ＵＳＢインタフェースの中の電源線は前記モバイル端末に充電することに用いられ、前記ＵＳＢインタフェースの中のデータケーブルが前記モバイル端末と前記電源アダプターとの二方向の通信に用いられ、前記モバイル端末が普通充電モードと急速充電モードに対応するよう構成され、前記急速充電モードの充電電流は前記普通充電モードの充電電流より大きく、
前記方法は、
前記急速充電モードによる充電過程で、前記モバイル端末と二方向の通信を行うことにより、前記電源アダプターの充電電流を絶え間なく調整し、前記モバイル端末が前記ＵＳＢインタフェースの中のデータケーブルを通じて、前記電源アダプターと二方向の通信を行うことにより、前記電源アダプターが急速充電モードで前記モバイル端末に充電することを決定し、前記急速充電モードに対応する充電電流について、前記モバイル端末と二方向通信するステップと、
前記モバイル端末が前記電源アダプターから急速充電モードに対応する充電電流を受け入れ、前記モバイル端末内の電池に充電するステップと、
前記モバイル端末が、前記電源アダプターに前記モバイル端末の通路インピーダンスを示す情報を送信するステップと、
前記モバイル端末が、前記ＵＳＢインタフェースの中のデータケーブルを通じて前記電源アダプターとの二方向の通信を行うことにより、前記ＵＳＢインタフェースが接触不良であるか否かを決定するステップと、
前記ＵＳＢインタフェースが接触不良であると決定した場合、前記電源アダプターが前記急速充電モードから離脱されるように制御するステップと、を含み、
前記モバイル端末が、前記ＵＳＢインタフェースの中のデータケーブルを通じて前記電源アダプターとの二方向の通信を行うことにより、前記ＵＳＢインタフェースが接触不良であるか否かを決定するステップは、
前記モバイル端末が、前記電源アダプターから送信される第四コマンドを受信し、前記第四コマンドが、前記モバイル端末内の電池の電圧を問うのに用いられるステップと、
前記電源アダプターに前記第四コマンドの返信コマンドを送信し、前記第四コマンドの返信コマンドが、前記モバイル端末内の電池の現在の電圧を示すステップと、
前記モバイル端末が、前記電源アダプターの充電電圧と前記電池の電圧に基づいて、前記電源アダプターから前記電池までの通路インピーダンスを決定するステップと、
前記モバイル端末が、前記電源アダプターから前記電池までの通路インピーダンスと、前記モバイル端末の通路インピーダンスと、及び前記電源アダプターと前記モバイル端末との間の充電回路の通路インピーダンスと、に基づいて、ＵＳＢインタフェースが接触不良であるか否かを決定するステップと、を含む急速充電方法。
【請求項４】
前記モバイル端末が前記ＵＳＢインタフェースの中のデータケーブルを通じて前記電源アダプターと二方向の通信を行うことにより、前記電源アダプターが前記急速充電モードで前記モバイル端末に充電することを決定するステップは、
前記モバイル端末が、前記電源アダプターが送信した第一コマンドを受信し、前記第一コマンドが、前記モバイル端末が前記急速充電モードをスタートするか否かを問うのに用いられるステップと、
前記モバイル端末が前記電源アダプターに前記第一コマンドの返信コマンドを送信し、前記第一コマンドの返信コマンドは、前記モバイル端末が前記急速充電モードのスタートを同意することを示すステップと、を含む請求項３に記載の方法。
【請求項５】
前記方法は、
前記モバイル端末が前記ＵＳＢインタフェースの中のデータケーブルを通じて、前記電源アダプターと二方向の通信を行うことにより、前記電源アダプターが前記急速充電モードに対応する充電電圧を決定するステップを含む請求項３または４に記載の方法。
【請求項６】
前記モバイル端末が前記ＵＳＢインタフェースの中のデータケーブルを通じて、前記電源アダプターと二方向の通信を行うことにより、前記電源アダプターが前記急速充電モードに対応する充電電圧を決定するステップは、
前記モバイル端末が、電源アダプターが送信した第二コマンドを受信し、前記第二コマンドが、前記電源アダプターの現在の電圧が前記急速充電モードの充電電圧として適切であるか否かを問うのに用いられるステップと、
前記モバイル端末が前記電源アダプターに前記第二コマンドの返信コマンドを送信し、前記第二コマンドの返信コマンドは、前記電源アダプターの現在の電圧が適切、高め又は低めであることを示すステップと、を含む請求項５に記載の方法。
【請求項７】
前記モバイル端末が前記ＵＳＢインタフェースの中のデータケーブルを通じて、前記電源アダプターと二方向の通信を行うことにより、前記電源アダプターが前記急速充電モードに対応する充電電流を決定するステップは、
前記モバイル端末が、前記電源アダプターが送信した第三コマンドを受信し、前記第三コマンドが、前記モバイル端末の現在対応する最大充電電流を問うのに用いられるステップと、
前記モバイル端末が前記電源アダプターに第三コマンドの返信コマンドを送信し、前記第三コマンドの返信コマンドは前記モバイル端末の現在対応する最大充電電流を示し、前記電源アダプターが、前記最大充電電流に基づいて急速充電モードに対応する充電電流を決定するステップと、を含む請求項３ないし６に記載の方法。
【請求項８】
前記電源アダプターと二方向の通信を行うことにより、前記電源アダプターの充電電流を絶え間なく調整するステップは、
前記モバイル端末が、電源アダプターが送信した第四コマンドを受信し、前記第四コマンドが、前記モバイル端末内の電池の現在の電圧を問うのに用いられるステップと、
前記モバイル端末が前記電源アダプターに前記第四コマンドの返信コマンドを送信し、  前記第四コマンドの返信コマンドが前記モバイル端末内の電池の現在の電圧を示し、前記電源アダプターが前記電池の現在の電圧に基づいて、前記電源アダプターの充電電流を絶え間なく調整するステップと、を含む請求項３に記載の方法。
【請求項９】
電源アダプターであって、前記電源アダプターとモバイル端末とはユニバーサル・シリアル・バスのＵＳＢインタフェースを通じて接続され、前記ＵＳＢインタフェースの中の電源線は、前記電源アダプターが前記モバイル端末に充電することに用いられ、前記ＵＳＢインタフェースの中のデータケーブルは、前記電源アダプターと前記モバイル端末との二方向の通信に用いられ、前記電源アダプターは、普通充電モードと急速充電モードに対応し、前記急速充電モードの充電電流は、前記普通充電モードの充電電流より大きく、
前記電源アダプターは、
前記ＵＳＢインタフェースの中のデータケーブルを通じて前記モバイル端末と二方向の通信を行い、前記急速充電モードで前記モバイル端末に充電することを決定し、前記急速充電モードに対応する充電電流について、前記モバイル端末と二方向通信し、前記急速充電モードによる充電過程で、前記モバイル端末と二方向の通信を行うことにより、前記電源アダプターの充電電流を絶え間なく調整することに用いられる通信ユニットと、
充電電流を前記急速充電モードに対応する充電電流に調整し、前記モバイル端末に充電することに用いられる電流調整ユニットと、を含み、
前記通信ユニットが、
前記モバイル端末から前記モバイル端末の通路インピーダンスを示す情報を受信することと、前記ＵＳＢインタフェースの中のデータケーブルを通じて前記モバイル端末との二方向の通信を行うことにより、前記ＵＳＢインタフェースが接触不良であるか否かを決定することと、前記ＵＳＢインタフェースが接触不良であると決定した場合、前記急速充電モードから離脱するすることにさらに用いられ、
前記通信ユニットが、前記ＵＳＢインタフェースの中のデータケーブルを通じて前記モバイル端末との二方向の通信を行うことにより、前記ＵＳＢインタフェースが接触不良であるか否かを決定することは、
前記通信ユニットが、前記モバイル端末に第四コマンドを送信し、前記第四コマンドが、前記モバイル端末内の電池の電圧を問うのに用いられることと、
前記通信ユニットが前記モバイル端末が送信した前記第四コマンドの返信コマンドを受信し、前記第四コマンドの返信コマンドが、前記モバイル端末内の電池の現在の電圧を示すことと、
前記通信ユニットが、前記電源アダプターの充電電圧と前記電池の電圧に基づいて、前記電源アダプターから前記電池までの通路インピーダンスを決定することと、
前記通信ユニットが、前記電源アダプターから前記電池までの通路インピーダンスと、前記モバイル端末の通路インピーダンスと、及び前記電源アダプターと前記モバイル端末との間の充電回路の通路インピーダンスと、に基づいて、ＵＳＢインタフェースが接触不良であるか否かを決定することと、を含む電源アダプター。
【請求項１０】
前記通信ユニットは、具体的に、
前記モバイル端末に第一コマンドを送信し、前記第一コマンドが、前記モバイル端末が前記急速充電モードをスタートするか否かを問うのに用いられることと、
前記モバイル端末から前記第一コマンドの返信コマンドを受信し、前記第一コマンドの返信コマンドが、前記モバイル端末が前記急速充電モードのスタートを同意することを示すことと、に用いられる請求項９に記載の電源アダプター。
【請求項１１】
前記電源アダプターは、
前記モバイル端末との間に前記普通充電モードで充電することに用いられる電力変換ユニットをさらに含み、
前記通信ユニットは、具体的に、
前記普通充電モードの充電時間が所定の閾値より大きいことを決定した後、前記モバイル端末に前記第一コマンドを送信することに用いられる請求項１０に記載の電源アダプター。
【請求項１２】
前記通信ユニットは、前記ＵＳＢインタフェースの中のデータケーブルを通じて前記モバイル端末と二方向の通信を行うことにより、前記急速充電モードに対応する充電電圧を決定することにさらに用いられ、
前記電源アダプターは、
充電電圧を前記急速充電モードに対応する充電電圧に調整することに用いられる電圧調整ユニットをさらに含む請求項９ないし１１のいずれかに記載の電源アダプター。
【請求項１３】
前記通信ユニットは、
前記モバイル端末に第二コマンドを送信し、前記第二コマンドが、前記電源アダプターの現在の電圧が前記急速充電モードの充電電圧として適切であるか否かを問うのに用いられることと、
前記モバイル端末が送信した前記第二コマンドの返信コマンドを受信し、前記第二コマンドの返信コマンドが、前記電源アダプターの現在の電圧が適切、高め又は低めであることを示すことと、に用いられ、
前記電圧調整ユニットは、具体的に、
前記第二コマンドの返信コマンドに基づいて、前記急速充電モードの充電電圧を決定することに用いられる請求項１２に記載の電源アダプター。
【請求項１４】
前記通信ユニットは、具体的に、
前記モバイル端末に第三コマンドを送信し、前記第三コマンドが、前記モバイル端末の現在対応する最大充電電流を問うのに用いられることと、
前記モバイル端末が送信した前記第三コマンドの返信コマンドを受信し、前記第三コマンドの返信コマンドが、前記モバイル端末の現在対応する最大充電電流を示すことと、
前記第三コマンドの返信コマンドに基づいて、前記急速充電モードの充電電流を決定することと、に用いられる請求項９ないし１３のいずれかに記載の電源アダプター。
【請求項１５】
前記通信ユニットは、具体的に、
前記モバイル端末に第四コマンドを送信し、前記第四コマンドが、前記モバイル端末内の電池の現在の電圧を問うのに用いられることと、
前記モバイル端末が送信した前記第四コマンドの返信コマンドを受信し、前記第四コマンドの返信コマンドが、前記モバイル端末内の電池の現在の電圧を示すことと、に用いられ、
前記電流調整ユニットは、具体的に、
前記電池の現在の電圧に基づいて、前記充電電流を調整することに用いられる請求項９に記載の電源アダプター。
【発明の詳細な説明】
【技術分野】
【０００１】
発明の実施例は、充電分野に関し、特に急速充電方法、電源アダプター及びモバイル端末に関する。
【背景技術】
【０００２】
現在、モバイル端末（例えば、スマートフォン）はますます消費者に注目されているが、モバイル端末の電力消耗量が大きく、通常、常に充電をする必要がある。モバイル端末のバッテリ容量が大きくなるに伴い、充電時間が相応的に長くなってきている。如何に急速充電を実現できるのが強く望まれている。
【０００３】
既存技術では、急速充電という目的を達成するために、通常、モバイル端末の負担能力を考慮せず、直接電源アダプターの出力電流を増大する。このような方法では、モバイル端末には過熱や焼損などの現象が生じ、モバイル端末の使用寿命が短くなってしまう。
【発明の概要】
【発明が解決しようとする課題】
【０００４】
本発明の実施例では、急速充電過程での安全性を高めるための急速充電方法、電源アダプター及びモバイル端末を提供する。
【課題を解決するための手段】
【０００５】
本発明の第一態様は、急速充電方法を提供する。前記方法は電源アダプターに応用され、前記電源アダプターとモバイル端末とはＵＳＢインタフェースを通じて接続される。前記ＵＳＢインタフェースの中の電源線は前記電源アダプターによる前記モバイル端末に充電することに用いられ、前記ＵＳＢインタフェースの中のデータケーブルが前記電源アダプターと前記モバイル端末との二方向の通信に用いられる。前記電源アダプターが普通充電モードと急速充電モードとを支持し、前記急速充電モードの充電電流は前記普通充電モードの充電電流より大きい。前記方法は、前記電源アダプターが前記ＵＳＢインタフェースの中のデータケーブルを通じて前記モバイル端末との二方向の通信を行うことにより、前記急速充電モードで前記モバイル端末に充電することを決定するステップと、前記電源アダプターが充電電流を前記急速充電モードに対応する充電電流に調整し、前記モバイル端末に充電するステップと、を含む。
【０００６】
第一態様において、第一態様の一つの実施形態は、前記電源アダプターが、前記ＵＳＢインタフェースの中のデータケーブルを通じて前記モバイル端末との二方向の通信を行うことにより、前記急速充電モードで前記モバイル端末に充電することを決定するステップは、前記電源アダプターが前記モバイル端末に第一コマンドを送信し、前記第一コマンドは、前記モバイル端末が前記急速充電モードをスタートするか否かを問うステップと、前記電源アダプターが、前記モバイル端末から前記第一コマンドの返信コマンドを受信し、前記第一コマンドの返信コマンドは前記モバイル端末が前記急速充電モードのスタートを同意することを示すステップと、を含む。
【０００７】
第一態様又はその上記実施形態のいずれかにおいて、第一態様のもう一つの実施形態は、前記電源アダプターが前記モバイル端末に第一コマンドを送信する前に、前記方法は、前記電源アダプターと前記モバイル端末との間は前記普通充電モードで充電をするステップをさらに含む。前記電源アダプターが前記モバイル端末に前記第一コマンドを送信するステップは、前記電源アダプターが前記普通充電モードの充電時間が所定閾値より大きいことを決定した後、前記モバイル端末に前記第一コマンドを送信するステップを含む。
【０００８】
第一態様又はその上記実施形態のいずれかおいて、第一態様のもう一つの実施形態は、前記電源アダプターは充電電流を前記急速充電モードに対応する充電電流に調整し、前記モバイル端末に充電する前に、前記方法は、前記電源アダプターが前記ＵＳＢインタフェースの中のデータケーブルを通じて前記モバイル端末との二方向の通信を行うことにより、前記急速充電モードに対応する充電電圧を決定するステップと、前記電源アダプターが充電電圧を前記急速充電モードに対応する充電電圧に調整するステップと、を含む。
【０００９】
第一態様又はその上記実施形態のいずれかにおいて、第一態様のもう一つの実施形態は、前記電源アダプターが前記ＵＳＢインタフェースの中のデータケーブルを通じて前記モバイル端末との二方向の通信を行うことにより、前記急速充電モードに対応する充電電圧を決定するステップは、前記電源アダプターが前記モバイル端末に第二コマンドを送信し、前記第二コマンドが、前記電源アダプターの現在の電圧が前記急速充電モードの充電電圧として適切であるか否かを問うのに用いられるステップと、前記電源アダプターが、前記モバイル端末が送信した前記第二コマンドの返信コマンドを受信し、前記第二コマンドの返信コマンドが、前記電源アダプターの現在の電圧が適切、高め又は低めであることを示すステップと、前記電源アダプターが、第二コマンドの返信コマンドに基づいて、前記急速充電モードの充電電圧を決定するステップと、を含む。
【００１０】
第一態様又はその上記実施形態のいずれかにおいて、第一態様のもう一つの実施形態は、前記電源アダプターが充電電流を前記急速充電モードに対応する充電電流に調整し、前記モバイル端末に充電する前に、前記方法は、前記電源アダプターが、前記ＵＳＢインタフェースの中のデータケーブルを通じて前記モバイル端末との二方向の通信を行うことにより、前記急速充電モードに対応する充電電流を決定するステップを含む。
【００１１】
第一態様又はその上記実施形態のいずれかにおいて、第一態様のもう一つの実施形態は、前記電源アダプターが、前記ＵＳＢインタフェースの中のデータケーブルを通じて前記モバイル端末との二方向の通信を行うことにより、前記急速充電モードに対応する充電電流を決定するステップは、前記電源アダプターが前記モバイル端末に第三コマンドを送信し、前記第三コマンドが、前記モバイル端末の現在支持できる最大充電電流を問うのに用いられるステップと、前記電源アダプターが、前記モバイル端末が送信した前記第三コマンドの返信コマンドを受信し、前記第三コマンドの返信コマンドが前記モバイル端末の現在支持できる最大充電電流を示すステップと、前記電源アダプターが、前記第三コマンドの返信コマンドに基づいて、前記急速充電モードの充電電流を決定するステップと、を含む。
【００１２】
第一態様又はその上記実施形態のいずれかにおいて、第一態様のもう一つの実施形態は、前記方法は、前記電源アダプターが前記急速充電モードでモバイル端末に充電する過程で、前記電源アダプターが、前記ＵＳＢインタフェースの中のデータケーブルを通じて前記モバイル端末との二方向の通信を行うことにより、前記電源アダプターの充電電流を絶え間なく調整するステップをさらに含む。
【００１３】
第一態様又はその上記実施形態のいずれかにおいて、第一態様のもう一つの実施形態は、前記電源アダプターが、前記ＵＳＢインタフェースの中のデータケーブルを通じて前記モバイル端末との二方向の通信を行うことにより、前記電源アダプターの充電電流を絶え間なく調整するステップは、前記電源アダプターが前記モバイル端末に第四コマンドを送信し、前記第四コマンドが、前記モバイル端末内の電池の現在の電圧を問うのに用いられるステップと、前記電源アダプターが、前記モバイル端末が送信した前記第四コマンドの返信コマンドを受信し、前記第四コマンドの返信コマンドが、前記モバイル端末内の電池の現在の電圧を示すステップと、前記電源アダプターが、前記電池の現在の電圧に基づいて、前記充電電流を調整するステップと、を含む。
【００１４】
第一態様又はその上記実施形態のいずれかにおいて、第一態様のもう一つの実施形態は、前記電源アダプターが、前記電池の現在の電圧に基づいて、前記充電電流を調整するステップは、前記電源アダプターが、前記電池の現在の電圧及び所定の電池電圧値と充電電流値との対応関係に基づいて、前記電源アダプターの充電電流を前記電池の現在の電圧に対応する充電電流値に調整するステップ、を含む。
【００１５】
第一態様又はその上記実施形態のいずれかにおいて、第一態様のもう一つの実施形態は、前記方法は、前記電源アダプターが前記急速充電モードで前記モバイル端末に充電する過程で、前記電源アダプターが、前記ＵＳＢインタフェースの中のデータケーブルを通じて前記モバイル端末との二方向の通信を行うことにより、前記ＵＳＢインタフェースが接触不良であるか否かを決定するステップと、前記ＵＳＢインタフェースが接触不良であると決定した場合、前記電源アダプターが前記急速充電モードから離脱するステップと、をさらに含む。
【００１６】
第一態様又はその上記実施形態のいずれかにおいて、第一態様のもう一つの実施形態は、前記電源アダプターが、前記ＵＳＢインタフェースの中のデータケーブルを通じて前記モバイル端末との二方向の通信を行うことにより、前記ＵＳＢインタフェースが接触不良であるか否かを決定する前に、前記方法は、前記電源アダプターが、前記モバイル端末から前記モバイル端末の通路インピーダンスを示す情報を受信するステップをさらに含む。前記電源アダプターが、前記ＵＳＢインタフェースの中のデータケーブルを通じて前記モバイル端末との二方向の通信を行うことにより、前記ＵＳＢインタフェースが接触不良であるか否かを決定するステップは、前記電源アダプターが、前記モバイル端末に第四コマンドを送信し、前記第四コマンドが、前記モバイル端末内の電池の電圧を問うのに用いられるステップと、前記電源アダプターが前記モバイル端末が送信した前記第四コマンドの返信コマンドを受信し、前記第四コマンドの返信コマンドが、前記モバイル端末内の電池の現在の電圧を示すステップと、前記電源アダプターが、前記電源アダプターの充電電圧と前記電池の電圧に基づいて、前記電源アダプターから前記電池までの通路インピーダンスを決定するステップと、前記電源アダプターが、前記電源アダプターから前記電池までの通路インピーダンスと、前記モバイル端末の通路インピーダンスと、及び前記電源アダプターと前記モバイル端末との間の充電回路の通路インピーダンスと、に基づいて、ＵＳＢインタフェースが接触不良であるか否かを決定するステップと、を含む。
【００１７】
第一態様又はその上記実施形態のいずれかにおいて、第一態様のもう一つの実施形態は、前記電源アダプターが前記急速充電モードから離脱する前に、前記方法は、前記電源アダプターが前記モバイル端末に、前記ＵＳＢインタフェースの接触不良を示す第五コマンドを送信するステップ、をさらに含む。
【００１８】
本発明の第二態様は、急速充電方法を提供する。前記方法はモバイル端末に応用され、前記モバイル端末と電源アダプターとはＵＳＢインタフェースを通じて接続される。前記ＵＳＢインタフェースの中の電源線は前記モバイル端末に充電することに用いられ、前記ＵＳＢインタフェースの中のデータケーブルが前記モバイル端末と前記電源アダプターとの二方向の通信に用いられる。前記モバイル端末が普通充電モードと急速充電モードとを支持し、前記急速充電モードの充電電流は普通充電モードの充電電流より大きい。前記方法は、前記モバイル端末が前記ＵＳＢインタフェースの中のデータケーブルを通じて前記電源アダプターとの二方向の通信を行うことにより、前記電源アダプターが急速充電モードで前記モバイル端末に充電することを決定するステップと、前記モバイル端末が前記電源アダプターで急速充電モードに対応する充電電流を受け入れ、前記モバイル端末内の電池に充電するステップと、を含む。
【００１９】
第二態様において、第二態様の一つの実施形態は、前記モバイル端末が、前記ＵＳＢインタフェースの中のデータケーブルを通じて前記電源アダプターとの二方向の通信を行うことにより、前記電源アダプターが前記急速充電モードで前記モバイル端末に充電することを決定するステップは、前記モバイル端末が前記電源アダプターが送信した第一コマンドを受信し、前記第一コマンドが、前記モバイル端末が前記急速充電モードをスタートするか否かを問うのに用いられるステップと、前記モバイル端末が前記電源アダプターに前記第一コマンドの返信コマンドを送信し、前記第一コマンドの返信コマンドが、前記モバイル端末が前記急速充電モードのスタートを同意することを示すステップと、を含む。
【００２０】
第二態様又はその上記実施形態のいずれかにおいて、第二態様のもう一つの実施形態は、前記モバイル端末が前記電源アダプターが送信した第一コマンドを受信する前に、前記方法は、前記モバイル端末と前記電源アダプターとの間が前記普通充電モードで充電をするステップをさらに含む。前記モバイル端末が、前記電源アダプターが送信した第一コマンドを受信するステップは、前記電源アダプターが前記普通充電モードの充電時間が所定閾値より大きいことを決定した後、前記モバイル端末が前記電源アダプターが送信した前記第一コマンドを受信するステップを含む。
【００２１】
第二態様又はその上記実施形態のいずれかにおいて、第二態様のもう一つの実施形態は、前記モバイル端末が前記電源アダプターから前記急速充電モードに対応する充電電流を受け入れ、前記モバイル端末内の電池に充電する前に、前記方法は、前記モバイル端末が前記ＵＳＢインタフェースの中のデータケーブルを通じて、前記電源アダプターとの二方向の通信を行うことにより、前記電源アダプターが前記急速充電モードに対応する充電電圧を決定するステップを含む。
【００２２】
第二態様又はその上記実施形態のいずれかにおいて、第二態様のもう一つの実施形態は、前記モバイル端末が前記ＵＳＢインタフェースの中のデータケーブルを通じて、前記電源アダプターとの二方向の通信を行うことにより、前記電源アダプターが前記急速充電モードに対応する充電電圧を決定するステップは、前記モバイル端末が、電源アダプターが送信した第二コマンドを受信し、前記第二コマンドが、前記電源アダプターの現在の電圧が前記急速充電モードの充電電圧として適切であるか否かを問うのに用いられるステップと、前記モバイル端末が前記電源アダプターに前記第二コマンドの返信コマンドを送信し、前記第二コマンドの返信コマンドが、前記電源アダプターの現在の電圧が適切、高め又は低めであることを示すステップと、を含む。
【００２３】
第二態様又はその上記実施形態のいずれかにおいて、第二態様のもう一つの実施形態は、前記モバイル端末が前記電源アダプターから前記急速充電モードに対応する充電電流を受け入れ、前記モバイル端末内の電池に充電する前に、前記方法は、前記モバイル端末が、前記ＵＳＢインタフェースの中のデータケーブルを通じて前記電源アダプターとの二方向の通信を行うことにより、前記電源アダプターが前記急速充電モードに対応する充電電流を決定するステップ、を含む。
【００２４】
第二態様又はその上記実施形態のいずれかにおいて、第二態様のもう一つの実施形態は、前記モバイル端末が、前記ＵＳＢインタフェースの中のデータケーブルを通じて前記電源アダプターとの二方向の通信を行うことにより、前記電源アダプターが前記急速充電モードに対応する充電電流を決定するステップは、前記モバイル端末が前記電源アダプターが送信した第三コマンドを受信し、前記第三コマンドが、前記モバイル端末の現在支持できる最大充電電流を問うのに用いられるステップと、前記モバイル端末が前記電源アダプターに第三コマンドの返信コマンドを送信し、前記第三コマンドの返信コマンドが、前記モバイル端末の現在支持できる最大充電電流を示し、前記電源アダプターが前記最大充電電流に基づいて、急速充電モードに対応する充電電流を決定するステップと、を含む。
【００２５】
第二態様又はその上記実施形態のいずれかにおいて、第二態様のもう一つの実施形態は、前記方法が、前記電源アダプターが前記急速充電モードで前記モバイル端末に充電する過程で、前記モバイル端末が、前記ＵＳＢインタフェースの中のデータケーブルを通じて前記電源アダプターとの二方向の通信を行うことにより、前記電源アダプターが前記電源アダプターの充電電流を絶え間なく調整するステップ、をさらに含む。
【００２６】
第二態様又はその上記実施形態のいずれかにおいて、第二態様のもう一つの実施形態は、前記モバイル端末が、前記ＵＳＢインタフェースの中のデータケーブルを通じて前記電源アダプターとの二方向の通信を行うことにより、前記電源アダプターが前記電源アダプターの充電電流を絶え間なく調整するステップは、前記モバイル端末が、電源アダプターが送信した第四コマンドを受信し、前記第四コマンドが、前記モバイル端末内の電池の現在の電圧を問うのに用いられるステップと、前記モバイル端末が前記電源アダプターに前記第四コマンドの返信コマンドを送信し、前記第四コマンドの返信コマンドが、前記モバイル端末内の電池の現在の電圧を示し、前記電源アダプターが前記電池の現在の電圧に基づいて、前記電源アダプターの充電電流を絶え間なく調整するステップと、を含む。
【００２７】
第二態様又はその上記実施形態のいずれかにおいて、第二態様のもう一つの実施形態は、前記方法が、前記電源アダプターが前記急速充電モードで前記モバイル端末に充電する過程で、前記モバイル端末が、前記ＵＳＢインタフェースの中のデータケーブルを通じて前記電源アダプターとの二方向の通信を行うことにより、前記電源アダプターが前記ＵＳＢインタフェースが接触不良であるか否かを決定するステップ、をさらに含む。
【００２８】
第二態様又はその上記実施形態のいずれかにおいて、第二態様のもう一つの実施形態は、前記モバイル端末が、前記ＵＳＢインタフェースの中のデータケーブルを通じて前記電源アダプターとの二方向の通信を行うことにより、前記電源アダプターが、前記ＵＳＢインタフェースが接触不良であるか否かを決定するステップは、前記モバイル端末が前記電源アダプターが送信した第四コマンドを受信し、前記第四コマンドが、前記モバイル端末内の電池の現在の電圧を問うのに用いられるステップと、前記モバイル端末が前記電源アダプターに前記第四コマンドの返信コマンドを送信し、前記第四コマンドの返信コマンドが前記モバイル端末内の電池の現在の電圧を示し、前記電源アダプターが、前記電源アダプターの充電電圧と前記電池の現在の電圧に基づいて、ＵＳＢポートが接触不良であるか否かを決定するステップと、を含む。
【００２９】
第二態様又はその上記実施形態のいずれかにおいて、第二態様のもう一つの実施形態は、前記方法は、前記モバイル端末が、前記電源アダプターが送信した第五コマンドを受信し、前記第五コマンドは前記ＵＳＢインタフェースの接触不良を示すステップ、をさらに含む。
【００３０】
本発明の第三態様は、電源アダプターを提供する。前記電源アダプターとモバイル端末とはＵＳＢインタフェースを通じて接続されている。前記ＵＳＢインタフェースの中の電源線は前記電源アダプターが前記モバイル端末に充電することに用いられ、前記ＵＳＢインタフェースの中のデータケーブルは前記電源アダプターと前記モバイル端末との二方向の通信に用いられる。前記電源アダプターは普通充電モードと急速充電モードを支持し、前記急速充電モードの充電電流は前記普通充電モードの充電電流より大きい。前記電源アダプターは、前記ＵＳＢインタフェースの中のデータケーブルを通じて、前記モバイル端末との二方向の通信を行い、前記急速充電モードで前記モバイル端末に充電することを決定することに用いられる通信ユニットと、充電電流を前記急速充電モードに対応する充電電流に調整し、前記モバイル端末に充電することに用いられる電流調整ユニットと、を含む。
【００３１】
第三態様において、第三態様の一つの実施形態は、前記通信ユニットは、具体的に、前記モバイル端末に第一コマンドを送信し、前記第一コマンドは前記モバイル端末が前記急速充電モードをスタートするか否かを問うのに用いられることと、前記モバイル端末から前記第一コマンドの返信コマンドを受信し、前記前記第一コマンドの返信コマンドが、前記モバイル端末が前記急速充電モードのスタートを同意することを示すことと、に用いられる。
【００３２】
第三態様又はその上記実施形態のいずれかにおいて、第三態様のもう一つの実施形態は、前記電源アダプターが、前記モバイル端末との間に前記普通充電モードで充電することに用いられる電力変換ユニットを含み、前記通信ユニットは、具体的に、前記普通充電モードの充電時間が所定閾値より大きいことを決定した後、前記モバイル端末に前記第一コマンドを送信することに用いられる。
【００３３】
第三態様又はその上記実施形態のいずれかにおいて、第三態様のもう一つの実施形態は、前記通信ユニットが、前記ＵＳＢインタフェースの中のデータケーブルを通じて前記モバイル端末との二方向の通信を行うことにより、前記急速充電モードに対応する充電電圧を決定することにさらに用いられ、前記電源アダプターは充電電圧を前記急速充電モードに対応する充電電圧に調整することに用いられる電圧調整ユニットをさらに含む。
【００３４】
第三態様又はその上記実施形態のいずれかにおいて、第三態様のもう一つの実施形態は、前記通信ユニットが、前記モバイル端末に第二コマンドを送信し、前記第二コマンドは前記電源アダプターの現在の電圧が前記急速充電モードの充電電圧として適切であるか否かを問うのに用いられることと、前記モバイル端末が送信した前記第二コマンドの返信コマンドを受信し、前記第二コマンドの返信コマンドが、前記電源アダプターの現在の電圧が適切、高め又は低めであることを示すことと、に用いられ、前記電圧調整ユニットは、具体的に、前記第二コマンドの返信コマンドに基づいて前記急速充電モードの充電電圧を決定することに用いられる。
【００３５】
第三態様又はその上記実施形態のいずれかにおいて、第三態様のもう一つの実施形態は、前記通信ユニットは、具体的に、前記ＵＳＢインタフェースの中のデータケーブルを通じて前記モバイル端末との二方向の通信を行うことにより、前記急速充電モードに対応する充電電流を決定することに用いられる。
【００３６】
第三態様又はその上記実施形態のいずれかにおいて、第三態様のもう一つの実施形態は、前記通信ユニットが、具体的に、前記モバイル端末に第三コマンドを送信し、前記第三コマンドは前記モバイル端末の現在支持できる最大充電電流を問うのに用いられることと、前記モバイル端末が送信した前記第三コマンドの返信コマンドを受信し、前記第三コマンドの返信コマンドが前記モバイル端末の現在支持できる最大充電電流を示すことと、前記第三コマンドの返信コマンドに基づいて前記急速充電モードの充電電流を決定することと、に用いられる。
【００３７】
第三態様又はその上記実施形態のいずれかにおいて、第三態様のもう一つの実施形態は、前記通信ユニットが、前記電源アダプターが前記急速充電モードで前記モバイル端末に充電する過程で、前記ＵＳＢインタフェースの中のデータケーブルを通じて前記モバイル端末との二方向の通信を行うことにより、前記電源アダプターの充電電流を絶え間なく調整することにさらに用いられる。
【００３８】
第三態様又はその上記実施形態のいずれかにおいて、第三態様のもう一つの実施形態は、前記通信ユニットが、具体的に、前記モバイル端末に第四コマンドを送信し、前記第四コマンドは前記モバイル端末内の電池の現在の電圧について問うのに用いられることと、前記モバイル端末が送信した前記第四コマンドの返信コマンドを受信し、前記第四コマンドの返信コマンドが前記モバイル端末内の電池の現在の電圧を示すことと、に用いられ、前記電流調整ユニットは、具体的に、前記電池の現在の電圧に基づいて、前記充電電流を調整することに用いられる。
【００３９】
第三態様又はその上記実施形態のいずれかにおいて、第三態様のもう一つの実施形態は、前記電流調整ユニットが、具体的に、前記電池の現在の電圧及び所定の電池の電圧値と充電電流値との対応関係に基づいて、前記電源アダプターの充電電流を前記電池の現在の電圧に対応する充電電流値に調整することに用いられる。
【００４０】
第三態様又はその上記実施形態のいずれかにおいて、第三態様のもう一つの実施形態は、前記通信ユニットが、前記電源アダプターが前記急速充電モードで前記モバイル端末に充電する過程で、前記ＵＳＢインタフェースの中のデータケーブルを通じて前記モバイル端末との二方向の通信を行うことにより、前記ＵＳＢインタフェースが接触不良であるか否かを決定することと、前記ＵＳＢインタフェースが接触不良であると決定した場合、前記急速充電モードから離脱することに、さらに用いられる。
【００４１】
第三態様又はその上記実施形態のいずれかにおいて、第三態様のもう一つの実施形態は、前記通信ユニットが、具体的に、前記モバイル端末から前記モバイル端末の通路インピーダンスを示す情報を受信することと、前記モバイル端末が送信した前記第四コマンドの返信コマンドを受信し、前記第四コマンドの返信コマンドが前記モバイル端末内の電池の電圧を示すことと、前記電源アダプターの充電電圧と前記電池の電圧に基づいて、前記電源アダプターから前記電池までの通路インピーダンスを決定することと、前記電源アダプターから前記電池までの通路インピーダンス、前記モバイル端末の通路インピーダンス、及び前記電源アダプターと前記モバイル端末との間の充電回路の通路インピーダンスに基づいて、ＵＳＢインタフェースが接触不良であるか否かを決定することと、に用いられる。
【００４２】
第三態様又はその上記実施形態のいずれかにおいて、第三態様のもう一つの実施形態は、前記通信ユニットが、前記モバイル端末に前記ＵＳＢインタフェースの接触不良を示す第五コマンドを送信することにさらに用いられる。
【００４３】
本発明の第四態様は、モバイル端末を提供する。前記モバイル端末と電源アダプターとはＵＳＢインタフェースを通じて接続されている。前記ＵＳＢインタフェースの中の電源線は、前記モバイル端末に充電することに用いられ、前記ＵＳＢインタフェースの中のデータケーブルは、前記モバイル端末と前記電源アダプターとの二方向の通信に用いられる。前記モバイル端末は普通充電モードと急速充電モードを支持し、前記急速充電モードの充電電流は前記普通充電モードの充電電流より大きい。前記モバイル端末は、前記ＵＳＢインタフェースの中のデータケーブルを通じて前記電源アダプターとの二方向の通信を行うことにより、前記電源アダプターが前記急速充電モードで前記モバイル端末に充電することを決定することに用いられる通信ユニットと、前記電源アダプターから前記急速充電モードに対応する充電電流を受け入れ、前記モバイル端末内の電池に充電することに用いられる充電ユニットと、を含む。
【００４４】
第四態様において、第四態様の一つの実施形態は、前記通信ユニットが、具体的に、前記電源アダプターが送信した第一コマンドを受信し、前記第一コマンドが、前記モバイル端末が前記急速充電モードをスタートするか否かを問うのに用いられることと、前記電源アダプターに前記第一コマンドの返信コマンドを送信し、前記第一コマンドの返信コマンドが、前記モバイル端末が前記急速充電モードのスタートを同意することを示すことと、に用いられる。
【００４５】
第四態様又はその上記実施形態のいずれかにおいて、第四態様のもう一つの実施形態は、前記充電ユニットが、前記電源アダプターとの間に普通充電モードで充電することにさらに用いられ、前記通信ユニットは、具体的に前記電源アダプターが前記普通充電モードの充電時間が所定閾値より大きいことを決定した後、前記電源アダプターが送信した前記第一コマンドを受信することに用いられる。
【００４６】
第四態様又はその上記実施形態のいずれかにおいて、第四態様のもう一つの実施形態は、前記通信ユニットが、前記ＵＳＢインタフェースの中のデータケーブルを通じて前記電源アダプターとの二方向の通信を行うことにより、前記電源アダプターが前記急速充電モードに対応する充電電圧を決定することにさらに用いられる。
【００４７】
第四態様又はその上記実施形態のいずれかにおいて、第四態様のもう一つの実施形態は、前記通信ユニットが、具体的に、前記電源アダプターが送信した第二コマンドを受信し、前記第二コマンドが、前記電源アダプターの現在の電圧が前記急速充電モードの充電電圧として適切であるか否かを問うのに用いられることと、前記電源アダプターに前記第二コマンドの返信コマンドを送信し、前記第二コマンドの返信コマンドが、前記電源アダプターの現在の電圧が適切、高め又は低めであることを示すことと、に用いられる。
【００４８】
第四態様又はその上記実施形態のいずれかにおいて、第四態様のもう一つの実施形態は、前記通信ユニットが、前記ＵＳＢインタフェースの中のデータケーブルを通じて前記電源アダプターとの二方向の通信を行うことにより、前記電源アダプターが前記急速充電モードに対応する充電電流を決定することにさらに用いられる。
【００４９】
第四態様又はその上記実施形態のいずれかにおいて、第四態様のもう一つの実施形態は、前記通信ユニットが、具体的に、前記電源アダプターが送信した第三コマンドを受信し、前記第三コマンドは前記モバイル端末の現在支持できる最大充電電流を問うのに用いられることと、前記電源アダプターに前記第三コマンドの返信コマンドを送信し、前記第三コマンドの返信コマンドは前記モバイル端末の現在支持できる最大充電電流を示し、前記電源アダプターが前記最大充電電流に基づいて、前記急速充電モードに対応する充電電流を決定することと、に用いられる。
【００５０】
第四態様又はその上記実施形態のいずれかにおいて、第四態様のもう一つの実施形態は、前記通信ユニットが、前記電源アダプターが前記急速充電モードで前記モバイル端末に充電する過程で、前記ＵＳＢインタフェースの中のデータケーブルを通じて前記電源アダプターとの二方向の通信を行うことにより、前記電源アダプターが前記電源アダプターの充電電流を絶え間なく調整することにさらに用いられる。
【００５１】
第四態様又はその上記実施形態のいずれかにおいて、第四態様のもう一つの実施形態は、前記通信ユニットが、具体的に、前記電源アダプターが送信した第四コマンドを受信し、前記第四コマンドが前記モバイル端末内の電池の現在の電圧を問うのに用いられることと、前記電源アダプターに前記第四コマンドの返信コマンドを送信し、前記第四コマンドの返信コマンドが、前記モバイル端末内の電池の現在の電圧を示し、前記電源アダプターが前記電池の現在の電圧に基づいて、前記電源アダプターの充電電流を絶え間なく調整することと、に用いられる。
【００５２】
第四態様又はその上記実施形態のいずれかにおいて、第四態様のもう一つの実施形態は、前記通信ユニットが、前記電源アダプターが前記急速充電モードで前記モバイル端末に充電する過程で、前記ＵＳＢインタフェースの中のデータケーブルを通じて前記電源アダプターとの二方向の通信を行うことにより、前記電源アダプターが前記ＵＳＢインタフェースが接触不良であるか否かを決定することにさらに用いられる。
【００５３】
第四態様又はその上記実施形態のいずれかにおいて、第四態様のもう一つの実施形態は、前記通信ユニットが、具体的に、前記電源アダプターが送信した第四コマンドを受信し、前記第四コマンドが、前記モバイル端末内の電池の現在の電圧を問うのに用いられることと、前記電源アダプターに前記第四コマンドの返信コマンドを送信し、前記第四コマンドの返信コマンドが前記モバイル端末内の電池の現在の電圧を示し、前記電源アダプターが、前記電源アダプターの充電電圧と前記電池の現在の電圧に基づいて、前記ＵＳＢインタフェースが接触不良であるか否かを決定することと、に用いられる。
【００５４】
第四態様又はその上記実施形態のいずれかにおいて、第四態様のもう一つの実施形態は、その特徴は、前記通信ユニットが、前記電源アダプターが送信した前記ＵＳＢインタフェースの接触不良を示す第五コマンドを受信することにさらに用いられることである。
【００５５】
本発明の実施例では、電源アダプターが盲目的に出力電流を増大して急速充電をするのではなく、モバイル端末との二方向の通信により急速充電モードを採用できるかについての協議を行う必要がある。既存技術に比べ、急速充電過程の安全性が向上される。
【図面の簡単な説明】
【００５６】
本発明の実施例の中の技術案をさらに明白に説明するために、以下、本発明の実施例には必要な図面について簡単な説明を行う。明らかに、以下説明された図面は本発明の一部の実施例に過ぎなく、通常の当業者にとって、創造的な努力を払わない前提で、これらの図面を踏まえて、その他の図面を取得することもできる。
【図１】本発明の実施例の急速充電方法を示すフローチャートである。
【図２】本発明の実施例の急速充電方法を示すフローチャートである。
【図３】本発明の実施例の急速充電をスタートする過程の例示図である。
【図４】本発明の実施例の急速充電をスタートする過程の例示図である。
【図５】本発明の実施例の電源アダプターを示す構造図である。
【図６】本発明の実施例のモバイル端末を示す構造図である。
【発明を実施するための形態】
【００５７】
以下、本発明の実施例の図面に基づいて、本発明実施例の中の技術案について、明白的、完全的に説明する。説明された実施例は本発明の一部の実施例であり、全部の実施例ではないことは明らかである。本発明の実施例に基づいて、普通の当業者が創造的な努力を払わない前提で、取得したその他の実施例は、全て、本発明の保護する範囲に属すべきである。
【００５８】
図１は本発明の実施例の急速充電方法を示すフローチャートである。図１の方法は電源アダプターに応用される。前記電源アダプターとモバイル端末とはユニバーサル・シリアル・バス（Ｕｎｉｖｅｒｓａｌ  Ｓｅｒｉａｌ  Ｂｕｓ，ＵＳＢ）インタフェースを通じて接続され、当該ＵＳＢインタフェースは普通のＵＳＢインタフェースでもよいし、マイクロＵＳＢインタフェースでもよい。前記ＵＳＢインタフェースの中の電源線は前記電源アダプターにより、前記モバイル端末に充電するために用いられ、前記ＵＳＢインタフェースの中の電源線はＵＳＢインタフェースの中のＶＢＵＳケーブル及び／又は、グラウンドでもよい。前記ＵＳＢインタフェースの中のデータケーブルは、前記電源アダプターと前記モバイル端末との二方向の通信に用いられ、当該データケーブルは、ＵＳＢインタフェースの中のＤ＋ケーブル及び／又は、Ｄ−ケーブルでもよい。二方向の通信というのは電源アダプターと端末と双方の情報交換を指す。前記電源アダプターは普通充電モードと急速充電モードとを支持し、前記急速充電モードの充電電流は普通充電モードの充電電流より大きい。例えば、普通充電モードの充電電流は一般的に２．５Ａより小さいが、急速充電モードの充電電流は３Ａより大きくてもよい。
【００５９】
図１の方法は、ステップ１１０とステップ１２０を含む。
【００６０】
ステップ１１０
前記電源アダプターが前記ＵＳＢインタフェースの中のデータケーブルを通じて、前記モバイル端末との二方向の通信を行うことにより、前記急速充電モードで前記モバイル端末に充電することを決定する。
【００６１】
説明する必要があるのは、在電源アダプターとモバイル端末が前記モバイル端末に充電するために、急速充電モードを採用するかについて協議を行う過程において、電源アダプターがモバイル端末との接続状態を保つだけで、充電しないようにすることもできるし、普通充電モードでモバイル端末に充電することもできるし、また、小電流でモバイル端末に充電することもできる。本発明の実施例では、これに対して、具体的な限定をしない。
【００６２】
ステップ１２０
前記電源アダプターが充電電流を前記急速充電モードに対応する充電電流に調整し、前記モバイル端末に充電する。
【００６３】
電源アダプターは急速充電モードでモバイル端末に充電することを決定してから、充電電流を急速充電モードに対応する充電電流まで直接調整できるし、急速充電モードに対応する充電電流について、モバイル端末と協議することもできる。例えば、モバイル端末にあるバッテリの現在の電量に基づいて、急速充電モードに対応する充電電流を決定する。
【００６４】
本発明の実施例では、電源アダプターが盲目的に出力電流を増大して急速充電をするのではなく、モバイル端末との二方向の通信により、急速充電モードを採用できるかについて協議を行う必要がある。既存技術に比べ、急速充電過程の安全性が向上される。
【００６５】
好ましくは、一つの実施例として、ステップ１１０は、前記電源アダプターが前記モバイル端末に第一コマンドを送信し、前記第一コマンドは前記モバイル端末が前記急速充電モードをスタートするか否かを問うのに用いられることと、前記電源アダプターが前記モバイル端末から前記第一コマンドの返信コマンドを受信し、前記第一コマンドの返信コマンドが、前記モバイル端末が前記急速充電モードのスタートを同意することを示すことと、を含む。
【００６６】
好ましくは、一つの実施例として、前記電源アダプターが前記モバイル端末に第一コマンドを送信する前に、前記方法は、前記電源アダプターと前記モバイル端末の間が前記普通充電モードで充電をすることをさらに含む。前記電源アダプターが前記モバイル端末に前記第一コマンドを送信することは、前記電源アダプターが前記普通充電モードの充電時間が所定閾値より大きいことを決定してから、前記モバイル端末に前記第一コマンドを送信することを含む。
【００６７】
理解すべきなのは、前記電源アダプターが前記普通充電モードの充電時間が所定閾値より大きいことを決定してから、電源アダプターが、端末がすでに自分が電源アダプターであることを識別したと考えて、急速充電を問う通信をスタートしてもよい。
【００６８】
好ましくは、一つの実施例として、前記電源アダプターが前記モバイル端末に第一コマンドを送信することは、前記電源アダプターが大なり又はイコール所定の電流閾値の充電電流で所定の時間を充電したことを決定してから、前記モバイル端末に前記第一コマンドを送信することを含む。
【００６９】
好ましくは、一つの実施例として、ステップ１２０の前に、図１の方法は、前記電源アダプターが、前記ＵＳＢインタフェースの中のデータケーブルを通じて前記モバイル端末との二方向の通信を行うことにより、前記急速充電モードに対応する充電電圧を決定することと、前記電源アダプターが充電電圧を前記急速充電モードに対応する充電電圧に調整することと、をさらに含める。
【００７０】
好ましくは、一つの実施例として、ステップ１１０は、前記電源アダプターが前記モバイル端末に第二コマンドを送信し、前記第二コマンドは前記電源アダプターの現在の電圧が前記急速充電モードの充電電圧として適切であるか否かを問うのに用いられること、前記電源アダプターが前記モバイル端末が送信した前記第二コマンドの返信コマンドを受信し、前記第二コマンドの返信コマンドは前記電源アダプターの現在の電圧の適切、高め又は低めであることを示すことと、前記電源アダプターが第二コマンドの返信コマンドに基づいて、前記急速充電モードの充電電圧を決定することと、をさらに含める。
【００７１】
好ましくは、一つの実施例として、ステップ１２０の前に、図1の方法は前記電源アダプターが前記ＵＳＢインタフェースの中のデータケーブルを通じて、前記モバイル端末との二方向の通信を行うことにより、前記急速充電モードに対応する充電電流を決定することをさらに含める。
【００７２】
好ましくは、一つの実施例として、前記電源アダプターは、前記ＵＳＢインタフェースの中のデータケーブルを通じて、前記モバイル端末との二方向の通信を行うことにより、前記急速充電モードに対応する充電電流を決定することは、前記電源アダプターが前記モバイル端末に第三コマンドを送信し、前記第三コマンドが、前記モバイル端末の現在支持できる最大充電電流を問うのに用いられることと、前記電源アダプターが前記モバイル端末が送信した前記第三コマンドの返信コマンドを受信し、前記第三コマンドの返信コマンドが、前記モバイル端末の現在支持できる最大充電電流を示すことと、前記電源アダプターが前記第三コマンドの返信コマンドに基づいて、前記急速充電モードの充電電流を決定することと、を含める。
【００７３】
前記電源アダプターは直接に前記最大充電電流を急速充電モードの充電電流として決定してもよい、又は充電電流を当該最大充電電流より小さいある電流値に設定してもよい。
【００７４】
好ましくは、一つの実施例として、図１の方法は、前記電源アダプターが前記急速充電モードでモバイル端末に充電する過程で、前記電源アダプターが前記ＵＳＢインタフェースの中のデータケーブルを通じて、前記モバイル端末との二方向の通信を行うことにより、前記電源アダプターの充電電流を絶え間なく調整すること、をさらに含める。
【００７５】
電源アダプターは、モバイル端末の現在の稼働状況を絶え間なく問い、充電電流を絶え間なく調整できる。例えば、モバイル端末にあるバッテリの電圧、バッテリの電量などを問う。
【００７６】
好ましくは、一つの実施例として、前記電源アダプターが前記ＵＳＢインタフェースの中のデータケーブルを通じて、前記モバイル端末との二方向の通信を行うことにより前記電源アダプターの充電電流を絶え間なく調整することは、前記電源アダプターが前記モバイル端末に第四コマンドを送信し、前記第四コマンドが、前記モバイル端末内の電池の現在の電圧を問うのに用いられることと、前記電源アダプターが前記モバイル端末が送信した前記第四コマンドの返信コマンドを受信し、前記第四コマンドの返信コマンドが、前記モバイル端末内の電池の現在の電圧を示すことと、前記電源アダプターが前記電池の現在の電圧に基づいて、前記充電電流を調整することと、を含める。
【００７７】
好ましくは、一つの実施例として、前記電源アダプターが前記電池の現在の電圧に基づいて前記充電電流を調整することは、前記電源アダプターが前記電池の現在の電圧及び所定の電池の電圧値と充電電流値との対応関係に基づいて、前記電源アダプターの充電電流を前記電池の現在の電圧に対応する充電電流値に調整すること、を含む。
【００７８】
具体的に、電源アダプターは事前にバッテリの電圧値と充電電流値との対応関係を保存できる。
【００７９】
好ましくは、一つの実施例として、図１の方法は、前記電源アダプターが前記急速充電モードで前記モバイル端末に充電する過程で、前記電源アダプターが前記ＵＳＢインタフェースの中のデータケーブルを通じて前記モバイル端末との二方向の通信を行うことにより、前記ＵＳＢインタフェースが接触不良であるか否かを決定することと、前記ＵＳＢインタフェースが接触不良であると決定した場合、前記電源アダプターが前記急速充電モードから離脱することと、をさらに含める。
【００８０】
好ましくは、一つの実施例として、前記電源アダプターが前記ＵＳＢインタフェースの中のデータケーブルを通じて、前記モバイル端末との二方向の通信を行うことにより、前記ＵＳＢインタフェースが接触不良であるか否かを決定する前に、図１の方法は、前記電源アダプターが前記モバイル端末から前記モバイル端末の通路インピーダンスを示す情報を受信することをさらに含む。前記電源アダプターが前記ＵＳＢインタフェースの中のデータケーブルを通じて、前記モバイル端末との二方向の通信を行うことにより、前記ＵＳＢインタフェースが接触不良であるか否かを決定することは、前記電源アダプターが前記モバイル端末に第四コマンドを送信し、前記第四コマンドが、前記モバイル端末内の電池の電圧を問うのに用いられることと、前記電源アダプターが前記モバイル端末が送信した前記第四コマンドの返信コマンドを受信し、前記第四コマンドの返信コマンドが、前記モバイル端末内の電池の電圧を示すことと、前記電源アダプターが前記電源アダプターの充電電圧と前記電池の電圧に基づいて、前記電源アダプターから前記電池リまでの通路インピーダンスを決定することと、前記電源アダプターが前記電源アダプターから前記電池までの通路インピーダンス、前記モバイル端末の通路インピーダンス、及び前記電源アダプターと前記モバイル端末との間の充電回路のインピーダンスに基づいて、ＵＳＢインタフェースが接触不良であるか否かを決定することと、を含む。
【００８１】
モバイル端末は事前に当該モバイル端末の通路インピーダンス1を記録できる。例えば、同一規格のモバイル端末は構造が同じであるため、出荷設定において、当該モバイル端末の通路インピーダンスを同値にする。また、電源アダプターは事前に充電回路の通路インピーダンス２を記録できる。電源アダプターはモバイル端末にあるバッテリの両端の電圧を得た場合、電源アダプターからバッテリ両端までの電圧降下を踏まえて、すべての通路の通路インピーダンス３を決定できる。通路インピーダンス３＞通路インピーダンス１＋通路インピーダンス２、又は通路インピーダンス３−(通路インピーダンス１＋通路インピーダンス２)＞インピーダンス閾値である場合、ＵＳＢインタフェースが接続不良だと思われる。
【００８２】
好ましくは、一つの実施例として、前記電源アダプターは前記急速充電モードから離脱する前に、図１の方法は、前記電源アダプターが前記モバイル端末に前記ＵＳＢインタフェースの接触不良を示す第五コマンドを送信すること、をさらに含める。
【００８３】
電源アダプターは第五コマンドを送信した後、急速充電モードから離脱又はリセットしてもよい。
【００８４】
以上、図１に基づいて、電源アダプターの角度から本発明の実施例に基づいた急速充電方法を詳細に説明した。以下、図２に基づいて、モバイル端末の角度から、本発明の実施例に基づいた急速充電方法を説明する。
【００８５】
理解すべきなのは、モバイル端末側が説明した電源アダプターと前記モバイル端末との通信交換及び関連特性、機能などと電源アダプター側が説明したものとは相応的であり、簡潔なため、重複した説明を適当に省く。
【００８６】
図２は本発明の実施例の急速充電方法を示すフローチャートである。図２の方法はモバイル端末に応用される。前記モバイル端末と電源アダプターとはユニバーサル・シリアル・バスＵＳＢインタフェースを通じて接続され、前記ＵＳＢインタフェースの中の電源線は前記モバイル端末に充電することに用いられる。前記ＵＳＢインタフェースの中のデータケーブルが前記モバイル端末と前記電源アダプターとの二方向の通信に用いられる。前記モバイル端末が普通充電モードと急速充電モードとを支持し、前記急速充電モードの充電電流は普通充電モードの充電電流より大きい。図２の方法は、ステップ２１０及びステップ２２０を含む。
【００８７】
ステップ２１０
前記モバイル端末が前記ＵＳＢインタフェースの中のデータケーブルを通じて、前記電源アダプターとの二方向の通信を行うことにより、前記電源アダプターが急速充電モードで前記モバイル端末に充電することを決定することに用いられる。
【００８８】
ステップ２２０
前記モバイル端末が前記電源アダプターから急速充電モードに対応する充電電流を受け入れ、前記モバイル端末内の電池に充電することに用いられる。
【００８９】
本発明の実施例では、電源アダプターは盲目的に出力電流を増大して急速充電をするのではなく、モバイル端末との二方向の通信により、急速充電モードを採用できるかについて協議を行う必要がある。既存技術に比べ、急速充電過程の安全性が向上される。
【００９０】
好ましくは、一つの実施例として、前記モバイル端末が前記ＵＳＢインタフェースの中のデータケーブルを通じて、前記電源アダプターとの二方向の通信を行うことにより、前記電源アダプターが前記急速充電モードで前記モバイル端末に充電することを決定することは、前記モバイル端末が、前記電源アダプターが送信した第一コマンドを受信し、前記第一コマンドは前記モバイル端末が前記急速充電モードをスタートするか否かを問うのに用いられることと、前記モバイル端末が前記電源アダプターに前記第一コマンドの返信コマンドを送信し、前記第一コマンドの返信コマンドは前記モバイル端末が前記急速充電モードのスタートを同意することを示すことと、を含む。
【００９１】
好ましくは、一つの実施例として、前記モバイル端末は前記電源アダプターが発信した第一コマンドを受信する前に、前記方法は、前記モバイル端末とお前記電源アダプターとの間が前記普通充電モードで充電をすることをさらに含む。前記モバイル端末が、前記電源アダプターが送信した第一コマンドを受信することは、前記電源アダプターが前記普通充電モードの充電時間が所定閾値より大きいことを決定した後、前記モバイル端末が、前記電源アダプターが送信した前記第一コマンドを受信することを含む。
【００９２】
好ましくは、一つの実施例として、前記モバイル端末が前記電源アダプターから前記急速充電モードに対応する充電電流を受け入れ、前記モバイル端末内の電池に充電する前に、前記方法は、前記モバイル端末が、前記ＵＳＢインタフェースの中のデータケーブルを通じて前記電源アダプターとの二方向の通信を行うことにより、前記電源アダプターが前記急速充電モードに対応する充電電圧を決定することを含む。
【００９３】
好ましくは、一つの実施例として、前記モバイル端末が前記ＵＳＢインタフェースの中のデータケーブルを通じて、前記電源アダプターとの二方向の通信を行うことにより、前記電源アダプターが前記急速充電モードに対応する充電電圧を決定することは、前記モバイル端末が、電源アダプターが送信した第二コマンドを受信し、前記第二コマンドは前記電源アダプターの現在の電圧が前記急速充電モードの充電電圧として適切であるか否かを問うのに用いられることと、前記モバイル端末が前記電源アダプターに前記第二コマンドの返信コマンドを送信し、前記第二コマンドの返信コマンドは前記電源アダプターの現在の電圧が適切、高め又は低めであることを示すことと、を含む。
【００９４】
好ましくは、一つの実施例として、前記モバイル端末が前記電源アダプターから前記急速充電モードに対応する充電電流を受け入れ、前記モバイル端末内の電池に充電する前に、前記方法は、前記モバイル端末が、前記ＵＳＢインタフェースの中のデータケーブルを通じて前記電源アダプターとの二方向の通信を行うことにより、前記電源アダプターが前記急速充電モードに対応する充電電流を決定すること、を含む。
【００９５】
好ましくは、一つの実施例として、前記モバイル端末が、前記ＵＳＢインタフェースの中のデータケーブルを通じて前記電源アダプターとの二方向の通信を行うことにより、前記電源アダプターが前記急速充電モードに対応する充電電流を決定することは、前記モバイル端末が前記電源アダプターが送信した第三コマンドを受信し、前記第三コマンドは前記モバイル端末の現在支持できる最大充電電流について問うのに用いられることと、前記モバイル端末が前記電源アダプターに第三コマンドの返信コマンドを送信し、前記第三コマンドの返信コマンドは前記モバイル端末の現在支持できる最大充電電流を示し、前記電源アダプターが前記最大充電電流に基づいて、急速充電モードに対応する充電電流を決定することと、を含む。
【００９６】
好ましくは、一つの実施例として、前記方法は、前記電源アダプターが前記急速充電モードで前記モバイル端末に充電する過程で、前記モバイル端末が前記ＵＳＢインタフェースの中のデータケーブルを通じて、前記電源アダプターとの二方向の通信を行うことにより、前記電源アダプターが前記電源アダプターの充電電流を絶え間なく調整すること、をさらに含む。
【００９７】
好ましくは、一つの実施例として、前記モバイル端末が、前記ＵＳＢインタフェースの中のデータケーブルを通じて前記電源アダプターとの二方向の通信を行うことにより、前記電源アダプターが前記電源アダプターの充電電流を絶え間なく調整することは、前記モバイル端末が電源アダプターが送信した第四コマンドを受信し、前記第四コマンドは前記モバイル端末内の電池の現在の電圧を問うのに用いられることと、前記モバイル端末が前記電源アダプターに前記第四コマンドの返信コマンドを送信し、前記第四コマンドの返信コマンドは前記モバイル端末内の電池の現在の電圧を示し、前記電源アダプターが前記電池の現在の電圧に基づいて、前記電源アダプターの充電電流を絶え間なく調整することと、を含む。
【００９８】
好ましくは、一つの実施例として、前記方法は、前記電源アダプターが前記急速充電モードで前記モバイル端末に充電する過程で、前記モバイル端末が、前記ＵＳＢインタフェースの中のデータケーブルを通じて前記電源アダプターとの二方向の通信を行うことにより、前記電源アダプターが前記ＵＳＢインタフェースが接触不良であるか否かを決定すること、をさらに含む。
【００９９】
好ましくは、一つの実施例として、前記モバイル端末が、前記ＵＳＢインタフェースの中のデータケーブルを通じて前記電源アダプターとの二方向の通信を行うことにより、前記電源アダプターが前記ＵＳＢインタフェースが接触不良であるか否かを決定することは、前記モバイル端末が前記電源アダプターが送信した第四コマンドを受信し、前記第四コマンドは前記モバイル端末内の電池の現在の電圧を問うのに用いられることと、前記モバイル端末が前記電源アダプターに前記第四コマンドの返信コマンドを送信し、前記第四コマンドの返信コマンドは前記モバイル端末内の電池の現在の電圧を示し、前記電源アダプターが前記電源アダプターの充電電圧と前記電池の現在の電圧に基づいて、前記ＵＳＢインタフェースが接触不良であるか否かを決定することと、を含む。
【０１００】
好ましくは、一つの実施例として、前記方法は、前記モバイル端末が前記電源アダプターが送信した第五コマンドを受信し、前記第五コマンドは前記ＵＳＢインタフェースの接触不良を示すこと、をさらに含む。
【０１０１】
以下、具体的な例に合わせて、本発明の実施例をさらに詳しく説明する。注意すべきなのは、図３から図４までの例が当業者の本発明の実施例を理解するのに役立つものに過ぎず、本発明の実施例は例示された具体的数値又は具体的シーンに限定されるわけではない。当業者はあげられた図３から図４までの例を踏まえて、明らかに各種等価の修正又は変化を行われ、このような修正又は変化も本発明の実施例の範囲に属する。
【０１０２】
図３は本発明の実施例の急速充電をスタートする過程の例示図である。
【０１０３】
図３のように急速充電の開始過程は全部で五つの段階を含む。
【０１０４】
段階１
【０１０５】
電源アダプターは時間Ｔ１内で連続的に出力電流が大なりイコールＩ２であることを測定した場合、モバイル端末の電源アダプター類別識別（即ち、その充電をするのは電源アダプターであり、パソコンなどその他の電子機器ではない）がすでに完成したと思われ、通信を開始し、急速充電（又はライトニング充電という）をスタートするかをモバイル端末に問うコマンド１を送信する。電源アダプターはモバイル端末の急速充電を同意しないことを受けたら、電流を繰り返しに測定し、電流が依然大なりイコールＩ２である場合、再び要請を行い、モバイル端末か急速充電を同意するという返信が出るまで、又は電流が大なりイコールＩ２である条件を満たさなくなるまでこういう循環を繰り返す。モバイル端末は急速充電を同意してから、第２段階に入る。
【０１０６】
段階２
【０１０７】
電源アダプターは電源アダプターの電圧が適切であるかを問う第二コマンドをモバイル端末に送信し、モバイル端末から高め又は低めという返信を得た場合、相応的に１ランクを調整し、再び電源アダプターの電圧が適切であるかをモバイル端末に問う。モバイル端末から適切な位置であるという返信が出るまで、循環を繰り返し。モバイル端末から適切な位置であるという返信が出たら、第３段階に入る。
【０１０８】
段階３
【０１０９】
電源アダプターはモバイル端末から電源アダプターの電圧が適切であるという返信を受けてから、モバイル端末の現在支持する最大充電電流を問うコマンド３を送信して、第４段階に入る。
【０１１０】
段階４、５
【０１１１】
電源アダプターはモバイル端末から返信した電流値を踏まえて、出力電流を指定値まで設定し、定電流段階に入るとともに、電源アダプターは一定の時間を間隔に、モバイル端末にあるバッテリの電圧を問うコマンド４を送信し、また、バッテリの電圧を踏まえて、ＵＳＢが接触良好であるか、及び充電電流を下げる必要があるかを判断する。電源アダプターはＵＳＢ接触不良であることを判断した場合、コマンド５を送信してから、リセットする。
【０１１２】
説明する必要があるのは、
【０１１３】
１）段階１では、モバイル端末はコマンド１を返答する時、データの中には段階５でＵＳＢインタフェースの接続状況の判断に用いられる端末の通路インピーダンスが付いてもよい。
【０１１４】
２）段階２では、モバイル端末の急速充電を同意したことから電源アダプターの電圧が適切値に調整されたまでの時間を一定範囲に抑えられ、モバイル端末が異常と判定し、急速充電を停止することを防ぐ。
【０１１５】
３）段階２では、電源アダプターの電圧はバッテリの電圧ΔＶより高いに調整された場合、端末は適切と返答してもよい。（ΔＶは２００−５００ｍＡに設定されてもいい）
【０１１６】
４）段階４では、電流の上昇速度を一定範囲に抑えられ、速度が速すぎることにより、急速充電が異常になり、中断されるおそれがあることを防ぐ。
【０１１７】
５）段階５では、定電流モードの電流制御精度をできる限り５％以内に抑えてもいい。
【０１１８】
６）段階５では、電源アダプターが通路インピーダンスをリアルタイムにモニターリングする。電源アダプターの電圧と現在の充電電流の測定及び読み取ったバッテリの電圧を通じて、急速充電通路全体のインピーダンスを計算する。通路インピーダンス>端末の通路インピーダンス+急速充電データケーブルのインピーダンスが測定された場合、ＵＳＢの接続不良だと思われ、急速充電を停止する。
【０１１９】
７）急速充電に入ってから、急速充電が異常充電になり、中断されることを防ぐために、毎回の通信の間隔を一定の範囲内に抑えた方がよい。
【０１２０】
８）急速充電の中止は回復可能と回復不可能という二種類に分ける。
１、モバイル端末は急速充電段階において、バッテリがフル状態になった又はＵＳＢの接続不良であったことを測定した場合、急速充電を停止し、電源アダプターは急速充電の流れをスタートしなくてもよい。
２、モバイル端末と電源アダプターには通信異常が現れた場合、電源アダプターは急速充電を停止してもよい。電源アダプターは停止した後、急速充電を再開できる。
３、モバイル端末はバッテリの異常を測定した場合、急速充電を停止でき、バッテリが正常に回復してから、急速充電の流れを再開する。
【０１２１】
以下、図４に基づいて、急速充電の過程を一つ例示する。図4に示された全体の流れと図３に説明された流れはほぼ対応している。
【０１２２】
図４から見て分かり、電源アダプターは最初ＤＣＰモードであり、即ち、Ｄ＋、Ｄ−短絡モードである。普通充電モードでモバイル端末に充電する。第一コマンドを送信する前に、電源アダプターはデータケーブルが急速充電データケーブルであるかをも判断でき、具体的判断方法が複数ある。例えば、データケーブルに識別回路を加え、電源アダプターは当該識別回路との情報交換を通じて、当該データケーブが急速充電データケーブルであるかを判断する。また、説明する必要があるのは、急速充電の全体の流れでは、通信異常又はインピーダンス異常が現れた場合、電源アダプターは急速充電の流れから離脱又はリセットできる。
【０１２３】
以上、図１から図４までに合わせて、本発明の実施例に基づいた急速充電方法を詳しく説明した。以下、図５から図６までに合わせて、本発明の実施例に基づいた電源アダプター及びモバイル端末を詳しく説明する。
【０１２４】
図５は本発明の実施例の電源アダプターを示した構造図である。図５にある電源アダプター５００は図１から図４までの電源アダプターによる実行した各ステップを実現でき、重複を避けるために、ここではこれ以上詳しく説明しない。
【０１２５】
具体的に言うと、前記電源アダプター５００とモバイル端末とはユニバーサル・シリアル・バスのＵＳＢインタフェースを通じて接続され、前記ＵＳＢインタフェースの中の電源線は前記電源アダプター５００が前記モバイル端末に充電することに用いられ、前記ＵＳＢインタフェースの中のデータケーブルは前記電源アダプター５００と前記モバイル端末との二方向の通信に用いられ、前記電源アダプター５００は普通充電モードと急速充電モードとを支持し、前記急速充電モードの充電電流は普通充電モードの充電電流より大きい。前記電源アダプター５００は、通信回路５１０及び電流調整回路５２０を含む。
【０１２６】
通信回路５１０は、前記ＵＳＢインタフェースの中のデータケーブルを通じて、前記モバイル端末との二方向の通信を行うことにより、前記急速充電モードで前記モバイル端末に充電することを決定することに用いられる。
【０１２７】
電流調整回路５２０は、充電電流を前記急速充電モードに対応する充電電流に調整し、前記モバイル端末に充電することに用いられる。
【０１２８】
本発明の実施例では、電源アダプターは盲目的に出力電流を増大して急速充電をするのではなく、モバイル端末との二方向の通信により、急速充電モードを採用できるか否かについて協議を行う必要がある。既存技術に比べ、急速充電過程の安全性が向上される。
【０１２９】
好ましくは、一つの実施例として、前記電通信回路５１０は、具体的に、前記モバイル端末に第一コマンドを送信し、前記第一コマンドは前記モバイル端末が前記急速充電モードをスタートするか否かを問うのに用いられることと、前記モバイル端末から前記第一コマンドの返信コマンドを受信し、前記前記第一コマンドの返信コマンドは前記モバイル端末が前記急速充電モードのスタートを同意することを示すことと、に用いられる。
【０１３０】
好ましくは、一つの実施例として、前記電源アダプター５００は、前記モバイル端末との間に前記普通充電モードで充電することに用いられる電力変換回路をさらに含む。前記通信回路５１０は、具体的に、前記普通充電モードの充電時間が所定の閾値より大きいことを決定した後、前記モバイル端末に前記第一コマンドを送信することに用いられる。
【０１３１】
好ましくは、一つの実施例として、前記通信回路５１０は、前記ＵＳＢインタフェースの中のデータケーブルを通じて前記モバイル端末との二方向の通信を行うことにより、前記急速充電モードに対応する充電電圧を決定することにさらに用いられる。前記電源アダプター５００は充電電圧を前記急速充電モードに対応する充電電圧に調整することに用いられる電圧調整回路をさらに含む。
【０１３２】
好ましくは、一つの実施例として、前記通信回路５１０は、前記モバイル端末に第二コマンドを送信し、前記第二コマンドは前記電源アダプター５００の現在の電圧が前記急速充電モードの充電電圧として適切であるか否かを問うのに用いられることと、前記モバイル端末が送信した前記第二コマンドの返信コマンドを受信し、前記第二コマンドの返信コマンドは前記電源アダプター５００の現在の電圧が適切、高め又は低めであることを示すことと、にも用いられる。前記電圧調整ユニットは、具体的に第二コマンドの返信コマンドに基づいて、前記急速充電モードの充電電圧を決定することに用いられる。
【０１３３】
好ましくは、一つの実施例として、前記通信回路５１０は、具体的には、前記ＵＳＢインタフェースの中のデータケーブルを通じて前記モバイル端末との二方向の通信を行うことにより、前記急速充電モードに対応する充電電流を決定することに用いられる。
【０１３４】
好ましくは、一つの実施例として、前記通信回路５１０は、具体的に、前記モバイル端末に第三コマンドを送信し、前記第三コマンドは前記モバイル端末の現在支持できる最大充電電流を問うのに用いられることと、前記モバイル端末が送信した前記第三コマンドの返信コマンドを受信し、前記第三コマンドの返信コマンドは前記モバイル端末の現在支持できる最大充電電流を示すことと、前記第三コマンドの返信コマンドに基づいて、前記急速充電モードの充電電流を決定することと、に用いられる、
【０１３５】
好ましくは、一つの実施例として、前記通信回路５１０は、前記電源アダプター５００が前記急速充電モードで前記モバイル端末に充電する過程で、前記ＵＳＢインタフェースの中のデータケーブルを通じて、前記モバイル端末との二方向の通信を行うことにより、前記電源アダプター５００の充電電流を絶え間なく調整することにさらに用いられる。
【０１３６】
好ましくは、一つの実施例として、前記通信回路５１０は、具体的に、前記モバイル端末に第四コマンドを送信し、前記第四コマンドは前記モバイル端末内の電池の現在の電圧を問うのに用いられることと、前記モバイル端末が送信した前記第四コマンドの返信コマンドを受信し、前記第四コマンドの返信コマンドは前記モバイル端末内の電池の現在の電圧を示すことと、に用いられる。前記電流調整回路５２０は、具体的に、前記電池の現在の電圧に基づいて、前記充電電流を調整することに用いられる。
【０１３７】
好ましくは、一つの実施例として、前記電流調整回路５２０は、具体的に、前記電池の現在の電圧及び所定の電池の電圧値と充電電流値との対応関係に基づいて、前記電源アダプター５００の充電電流を前記電池の現在の電圧に対応する充電電流値に調整することに用いられる。
【０１３８】
好ましくは、一つの実施例として、前記通信回路５１０は、前記電源アダプター５００が前記急速充電モードで前記モバイル端末に充電する過程で、前記ＵＳＢインタフェースの中のデータケーブルを通じて、前記モバイル端末との二方向の通信を行うことにより、前記ＵＳＢインタフェースが接触不良であるか否かを決定することと、前記ＵＳＢインタフェースが接触不良であると決定した場合、前記急速充電モードから離脱することに、さらに用いられる。
【０１３９】
好ましくは、一つの実施例として、前記通信回路５１０は、具体的に、前記モバイル端末から前記モバイル端末の通路インピーダンスを示す情報を受信することと、前記モバイル端末が送信した前記第四コマンドの返信コマンドを受信し、前記第四コマンドの返信コマンドは前記モバイル端末内の電池の現在の電圧を示すことと、前記電源アダプター５００の充電電圧と前記電池の電圧に基づいて、前記電源アダプター５００から前記電池までの通路インピーダンスを決定することと、前記電源アダプター５００から前記電池までの通路インピーダンス、前記モバイル端末の通路インピーダンス、及び前記電源アダプター５００と前記モバイル端末との間の充電回路の通路インピーダンスを基づいて、ＵＳＢインタフェースが接触不良であるか否かを決定することと、に用いられる。
【０１４０】
好ましくは、一つの実施例として、前記通信回路５１０は、前記モバイル端末に前記ＵＳＢインタフェースの接触不良を示す第五コマンドを送信することにさらに用いられる。
【０１４１】
図６は本発明の実施例のモバイル端末を示した構造図である。図６では、モバイル端末６００と電源アダプターとはユニバーサル・シリアル・バスＵＳＢインタフェースを通じて接続され、前記ＵＳＢインタフェースの中の電源線は前記モバイル端末６００に充電することに用いられ、前記ＵＳＢインタフェースの中のデータケーブルは前記モバイル端末６００と前記電源アダプターとの二方向の通信に用いられ、前記モバイル端末６００は普通充電モードと急速充電モードとを支持し、前記急速充電モードの充電電流は前記普通充電モードの充電電流より大きい。前記モバイル端末６００は、通信回路６１０及び充電回路６２０を含む。
【０１４２】
通信回路６１０は、前記ＵＳＢインタフェースの中のデータケーブルを通じて、前記電源アダプターとの二方向の通信を行うことにより、前記電源アダプターが前記急速充電モードで前記モバイル端末６００に充電することを決定することに用いられる。
【０１４３】
充電回路６２０は、前記電源アダプターから前記急速充電モードに対応する充電電流を受け入れ、前記モバイル端末６００内の電池に充電することに用いられる。
【０１４４】
本発明の実施例では、電源アダプターは盲目的に出力電流を増大して急速充電をするのではなく、モバイル端末との二方向の通信により、急速充電モードを採用できるか否かについて協議を行う必要がある。既存技術に比べ、急速充電過程の安全性が向上される。
【０１４５】
好ましくは、一つの実施例として、前記通信回路６１０は、具体的に、前記電源アダプターが送信した第一コマンドを受信し、前記第一コマンドは前記モバイル端末６００が前記急速充電モードをスタートするか否かを問うのに用いられることと、前記電源アダプターに前記第一コマンドの返信コマンドを送信し、前記第一コマンドの返信コマンドは前記モバイル端末６００が前記急速充電モードのスタートを同意することを示すことと、に用いられる。
【０１４６】
好ましくは、一つの実施例として、前記充電回路６２０は、前記電源アダプターとの間に普通充電モードで充電することにさらに用いられる。前記通信回路６１０は、具体的に前記電源アダプターが前記普通充電モードの充電時間が所定閾値より大きいことを決定した後、前記電源アダプターが送信した前記第一コマンドを受信することに用いられる。
【０１４７】
好ましくは、一つの実施例として、前記通信回路６１０は、前記ＵＳＢインタフェースの中のデータケーブルを通じて、前記電源アダプターとの二方向の通信を行うことにより、前記電源アダプターが前記急速充電モードに対応する充電電圧を決定することにさらに用いられる。
【０１４８】
好ましくは、一つの実施例として、前記通信回路６１０は、具体的に電源アダプターが送信した第二コマンドを受信し、前記第二コマンドは前記電源アダプターの現在の電圧が前記急速充電モードの充電電圧として適切であるか否かを問うのに用いられることと、前記電源アダプターに前記第二コマンドの返信コマンドを送信し、前記第二コマンドの返信コマンドは前記電源アダプターの現在の電圧が適切、高め又は低めであることを指示することを示すことと、に用いられる。
【０１４９】
好ましくは、一つの実施例として、前記通信回路６１０は、前記ＵＳＢインタフェースの中のデータケーブルを通じて、前記電源アダプターとの二方向の通信を行うことにより、前記電源アダプターが前記急速充電モードに対応する充電電流を決定することにさらに用いられる。
【０１５０】
好ましくは、一つの実施例として、前記通信回路６１０は、具体的に前記電源アダプターが送信した第三コマンドを受信し、前記第三コマンドは前記モバイル端末６００の現在支持できる最大充電電流を問うのに用いられることと、前記電源アダプターに前記第三コマンドの返信コマンドを送信し、前記第三コマンドの返信コマンドは前記モバイル端末６００の現在支持できる最大充電電流を示し、前記電源アダプターが前記最大充電電流に基づいて、前記急速充電モードに対応する充電電流を決定することと、に用いられる。
【０１５１】
好ましくは、一つの実施例として、前記通信回路６１０は、前記電源アダプターが前記急速充電モードでモバイル端末６００に充電する過程で、前記ＵＳＢインタフェースの中のデータケーブルを通じて、前記電源アダプターとの二方向の通信を行うことにより、前記電源アダプターが前記電源アダプターの充電電流を絶え間なく調整することにさらに用いられる。
【０１５２】
好ましくは、一つの実施例として、前記通信回路６１０は、具体的に、前記電源アダプターが送信した第四コマンドを受信し、前記第四コマンドは前記モバイル端末６００内の電池の現在の電圧を問うのに用いられることと、前記電源アダプターに前記第四コマンドの返信コマンドを送信し、前記第四コマンドの返信コマンドは前記モバイル端末６００内の電池の現在の電圧を示し、前記電源アダプターが前記電池の電圧に基づいて、前記電源アダプターの充電電流を絶え間なく調整することと、に用いられる。
【０１５３】
好ましくは、一つの実施例として、前記通信回路６１０は、前記電源アダプターが前記急速充電モードでモバイル端末６００に充電する過程で、前記ＵＳＢインタフェースの中のデータケーブルを通じて、前記電源アダプターとの二方向の通信を行うことにより、前記電源アダプターが前記ＵＳＢインタフェースが接触不良であるか否かを決定することにさらに用いられる。
【０１５４】
好ましくは、一つの実施例として、前記通信回路６１０は、具体的に前記電源アダプターが送信した第四コマンドを受信し、前記第四コマンドは前記モバイル端末６００内の電池の現在の電圧を問うのに用いられることと、前記電源アダプターに前記第四コマンドの返信コマンドを送信し、前記第四コマンドの返信コマンドは前記モバイル端末６００内の電池の現在の電圧を示し、前記電源アダプターが前記電源アダプターの充電電圧と前記電池の現在の電圧に基づいて、前記ＵＳＢインタフェースが接触不良であるか否かを決定することと、に用いられる。
【０１５５】
好ましくは、一つの実施例として、前記通信回路６１０は、前記電源アダプターが送信した前記ＵＳＢインタフェースの接触不良を示す第五コマンドを受信することにさらに用いられる。
【０１５６】
通常の当業者は、本文で公開される実施例で説明された各例示するユニット及びアルゴリズムステップに合わせて、電子ハードウェアと、又はコンピューターソフトウェアと電子ハードウェアの組み合わせとで、実現できる。これらの機能がハードウェア、又はソフトウェアによる実行されるのかどうかは、技術方案の特定応用と設計の拘束条件による。当業者はすべての特定応用に対して、異なる方法で説明された機能を実現できるが、このような実現は本発明の範囲を超えたと考えるべきではない。
【０１５７】
当業者ははっきり理解できるのは、説明上の便利と簡潔のため、以上説明されたシステム、装置とユニットの具体的な稼働過程は前記方法の実施例で記載された対応的過程を参考にでき、ここではこれ以上説明しない。
【０１５８】
本出願で提供されたいくつの実施例において理解できるのは、開示されたシステム、装置、および方法は、その他の形態を通じて実現できる。例えば、以上説明された装置の実施例は単なる暗示的ものであり、例えば、前記ユニットの区分は単なる一種の論理機能の区分であり、実際に実現する際に、ほかの区分方式があってもよい。例えば、複数のユニット又はモジュールはもう一つのシステムに組み合わせられる又は集成されることができ、又はいくつの特徴を無視できる又は実行しなくてもよい。もう一点、表示又は議論された相互間の結合又は直接結合又は通信接続が一部のインタフェース、装置又はユニットの間接結合又は通信接続を通じてもよい、電気的、機械又はその他の形でよい。
【０１５９】
前記分離部材として説明されたユニットは物理的に分かれてもよいし、又は別れなくてもいい。ユニットの表示部品として、物理的なユニットでもよいし、又は物理的なユニットでなくてもよい。即ち、一つの場所に位置してもよいし、又は複数のネットユニットに分布していてもよい。実際の需要を踏まえて、そのうちの一部又はすべてのユニットを選んで、本実施例の方案の目的を実現する。
【０１６０】
また、本発明の各実施例にある各機能ユニットは一つの処理ユニットに集約されてもいいし、各ユニットが単独に物理的に存在してもよい。また、二つ、又は二つ以上のユニットは一つのユニットに集約されていてもよい。
【０１６１】
前記機能は、ソフト機能ユニットという形で実現され、さらに独立な製品として販売又は使用されるなら、ひとつのコンピューター読み取り可能の記憶媒体に保存してもよい。このような理解に基づいて、本発明の技術方案の本質上又は既存技術に貢献した部分又は当該技術案の一部はソフトウェア製品の形で表されることができる。当該コンピューターソフトウェア製品は一つの記憶媒体に保存し、一つのコンピューター設備（パソコン、サーバー、又はネット設備等でよい）を本発明の各実施例で記述された方法の全部あるは一部のステップを実行させる若干のコマンドを含む。しかし前記記憶媒体はＳＵＢメモリーと、移動ハードディスクと、読み出し専用メモリー（ＲＯＭ，Ｒｅａｄ−Ｏｎｌｙ−Ｍｅｍｏｒｙ）と、ランダムアクセスメモリー（ＲＡＭ，Ｒａｎｄｏｍ  Ａｃｃｅｓｓ  Ｍｅｍｏｒｙ）と、磁気ディスクと、又はＣＤなど各種のプログラムコードを保存できる媒体を含む。
【０１６２】
以上は単なる本発明の具体的実施形態であるが、本発明の保護範囲はこれだけに限定されない。あらゆる当業者は本発明が披露した技術範囲内において、簡単に思いつく変化又は取り替えは、みな本発明の保護範囲内に入るべき。従って、本発明の保護範囲は請求の範囲に記載された保護範囲を基準にすることを記載されるべきである。
【図１】
0006626013.tif 000002
【図２】
0006626013.tif 000003
【図３】
0006626013.tif 000004
【図４】
0006626013.tif 000005
【図５】
0006626013.tif 000006
【図６】
0006626013.tif 000007